【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
クライアントコンピュータによる実行のために構成されたコンテンツ生成コンポーネントからシンジケーションコンテンツを受信することであって、前記シンジケーションコンテンツは、前記コンテンツ生成コンポーネントによって作成または読み出され、電子文書またはファイルを備えることと、
前記コンテンツ生成コンポーネントを通じて、コンテンツ配信プラットフォームを使用して前記シンジケーションコンテンツをシンジケートするシンジケーションダイアログを提供することと、
前記シンジケーションコンテンツをシンジケートして、前記コンテンツ配信プラットフォームによって格納されたシンジケーションリソースであって、シンジケーションリファレントを使用してネットワーク上で前記コンテンツ配信プラットフォームからアクセス可能なシンジケーションリソースを形成することと
を備えることを特徴とする方法。
【請求項２】
前記コンテンツ配信プラットフォームから前記シンジケーションリソースへのアクセスを提供するように配置された前記シンジケーションリファレントを受信することを備えることを特徴とする請求項１に記載の方法。
【請求項３】
前記シンジケーションダイアログを使用して、前記コンテンツ配信プラットフォームによって前記シンジケーションリソースとして格納された前記シンジケーションコンテンツを変更することを備え、前記変更動作は、前記シンジケーションコンテンツを再公開、更新または除去することを含むことを特徴とする請求項１に記載の方法。
【請求項４】
コンテンツ生成者から制御指示を受信して、前記コンテンツ生成コンポーネントを通じて前記シンジケーションダイアログを開始することを備えることを特徴とする請求項１乃至３のいずれかに記載の方法。
【請求項５】
前記コンテンツ配信プラットフォームによって前記シンジケーションコンテンツをシンジケートする際に使用するために前記コンテンツ配信プラットフォームを用いてコンテンツ生成者用のオペレータアカウントを作成することを備えることを特徴とする請求項１乃至４のいずれかに記載の方法。
【請求項６】
前記コンテンツ配信プラットフォームによって前記シンジケーションコンテンツをシンジケートする際に使用するために前記コンテンツ配信プラットフォームを用いてコンテンツ生成者用のオペレータアカウントを選択する制御指示を受信することを備えることを特徴とする請求項１乃至５のいずれかに記載の方法。
【請求項７】
前記コンテンツ生成コンポーネントを通じて前記コンテンツ配信プラットフォームにアクセスする認証動作を行うことを備えることを特徴とする請求項１に記載の方法。
【請求項８】
前記シンジケーションコンテンツを第１のフォーマットから、前記コンテンツ配信プラットフォームによるシンジケーションに適した第２のフォーマットに変換することを備えることを特徴とする請求項１乃至７のいずれかに記載の方法。
【請求項９】
前記コンテンツ生成コンポーネントから前記コンテンツ配信プラットフォームによって行われるシンジケーション動作を制御するシンジケーション制御パラメータを送信することを備えることを特徴とする請求項１乃至８のいずれかに記載の方法。
【請求項１０】
プロセッサによって実行されると、当該プロセッサに、
コンテンツ生成コンポーネントから、前記コンテンツ生成コンポーネントによって作成または読み出されたシンジケーションコンテンツであって、電子文書またはファイルを備えるシンジケーションコンテンツを受信することと、
前記コンテンツ生成コンポーネントを通じて、コンテンツ配信プラットフォームを使用して前記シンジケーションコンテンツをシンジケートするシンジケーションダイアログを提供することと、
前記シンジケーションコンテンツをシンジケートして、前記コンテンツ配信プラットフォームによって格納されたシンジケーションリソースであって、シンジケーションリファレントを使用してネットワーク上で前記コンテンツ配信プラットフォームからアクセス可能なシンジケーションリソースを形成することと、
公開アプリケーションをしようして前記シンジケーションリファレントを公開することと
を実行させることを特徴とするプログラム。
【請求項１１】
プロセッサおよびコンピュータ可読記憶媒体を有する処理システムを備えたクライアントコンピュータであって、前記コンピュータ可読記憶媒体は、前記プロセッサによって実行されるように構成されたコンテンツ生成コンポーネントに通信的に結合されたシンジケーション管理コンポーネントに対するプログラム命令を格納し、前記シンジケーション管理コンポーネントは、前記コンテンツ生成コンポーネントから、前記コンテンツ生成コンポーネントによって作成または読み出されたシンジケーションコンテンツを受信し、前記コンテンツ生成コンポーネントを通じて、コンテンツ配信プラットフォームを使用して前記シンジケーションコンテンツをシンジケートするシンジケーションダイアログを提供し前記シンジケーションコンテンツをシンジケートして、前記コンテンツ配信プラットフォームによって格納されたシンジケーションリソースであって、シンジケーションリファレントを使用してネットワーク上で前記コンテンツ配信プラットフォームからアクセス可能なシンジケーションリソースを形成するように動作するクライアントコンピュータを備えたことを特徴とする装置。
【請求項１２】
前記シンジケーション管理コンポーネントは、前記コンテンツ配信プラットフォームから前記シンジケーションリソースへのアクセスを提供するように構成された前記シンジケーションリファレントを受信するように動作し、前記シンジケーションリファレントは、前記コンテンツ配信プラットフォームからアクセス可能な前記シンジケーションリソースへのリンクを表わし、前記シンジケーションリファレントは、ユニフォームリソース識別子、ユニフォームリソースロケータ、ユニフォームリソース名、実行可能ソフトウェアコード、またはそれらの組み合わせを備えたことを特徴とする請求項１１に記載の装置。
【請求項１３】
前記シンジケーション管理コンポーネントは、コンテンツ生成者から制御指示を受信して前記コンテンツ生成コンポーネントを通じて前記シンジケーションダイアログを開始し、前記コンテンツ配信プラットフォームによって前記シンジケーションコンテンツをシンジケートする際に使用する前記コンテンツ配信プラットフォームを用いて前記コンテンツ生成者用のオペレータアカウントを作成し、またはすでにオペレータアカウントが作成されていた時、制御指示を受信して、前記コンテンツ配信プラットフォームを用いて前記コンテンツ生成者用のオペレータアカウントを選択するように動作することを特徴とする請求項１１に記載の装置。
【請求項１４】
前記シンジケーション管理コンポーネントは、前記コンテンツ生成コンポーネントを通じて前記コンテンツ配信プラットフォームにアクセスする認証動作を行うように動作することを特徴とする請求項１１乃至１３のいずれかに記載の装置。
【請求項１５】
前記シンジケーション管理コンポーネントは、前記シンジケーションコンテンツを第１のフォーマットから、前記コンテンツ配信プラットフォームによるシンジケーションに適した第２のフォーマットに変換するように動作することを備えたことを特徴とする請求項１１乃至１４のいずれかに記載の装置。